(57)【要約】【課題】軽くて運搬及び取り扱いが容易、且つ、大幅にコストを低減させた床暖房用パネルを提供する。【解決手段】温水配管１２が内部に蛇行状に配設されたベース部材１１を設ける。温水配管１２及びベース部材１１の上面に密着固定された熱良導性の熱伝導部材１３を設ける。熱伝導部材１３を粘着剤付きの金属箔にて構成する。これにより、従来のように重い鉄板の熱伝導部材を設けた床暖房用パネルの持ち運びを行う必要もなくなり、床暖房用パネル１０の取り扱い、及び、作業性を極めて向上させることができる。熱伝導部材１３には、温水配管１２から離間した位置に目印１４を設ける。これにより、熱伝導部材１３下に設けた温水配管１２に釘が刺さるなどの事故を未然に防止することができる。【選択図】　　　図１
2004053203.tif 000002
【特許請求の範囲】
【請求項１】
温水配管に温水を循環させて暖房する床暖房用パネルにおいて、
前記温水配管が内部に蛇行状に配設されたベース部材と、
前記温水配管及び前記ベース部材の上面に密着固定された熱良導性の熱伝導部材とを備え、
該熱伝導部材を粘着剤付きの金属箔にて構成したことを特徴とする床暖房用パネル。
【請求項２】
前記熱伝導部材には、前記温水配管から離間した位置に目印を設けたことを特徴とする請求項１の床暖房用パネル。
【発明の詳細な説明】
【０００１】
【発明の属する技術分野】
本発明は、温水配管に温水を循環させて暖房する床暖房用パネルに関するものである。
【０００２】
【従来の技術】
従来より住宅の床面上に設置され足下を暖めるためのこの種床暖房用パネルは、例えば図３、図４に示すようなものが知られている。この床暖房用パネル１００は、縦長略矩形状（この場合、縦１７００ｍｍ、横８５０ｍｍの略畳一枚の大きさ）の木製のベース部材１１１の上面に配管保持溝部１１１Ａが設けられ、この配管保持溝部１１１Ａの中に温水配管１１２が設置されている。そして、配管保持溝部１１１Ａ内に設置された温水配管１１２は粘着剤が塗布されたアルミ箔テープ１１５にてベース部材１１１に固定され、その上面に約０．４ｍｍの薄い鉄板からなる熱伝導部材１１３が粘着剤にて貼り付け固定されていた。
【０００３】
このベース部材１１１上面に固定された鉄板の熱伝導部材１１３は薄くても重いため、６分割（この場合、縦方向に２分割、幅方向に３分割）されていた。そしてベース部材１１１上面の各熱伝導部材１１３の上面には温水配管１１２と対応する位置全体にシルク印刷にて目印１１４が設けらてている。この目印１１４は床暖房用パネル１００を固定するとき釘などを打ち付けて内部の温水配管１１２を損傷しないように温水配管１１２より広い幅でシルク印刷が表示されている。また、温水配管１１２のシルク印刷の表示以外の箇所にメーカー名、品番などが印刷されたラベル１１６が貼り付けられる。
【０００４】
このような構造の床暖房用パネル１００が運搬され、住宅の床板として図示しない根太（床板を受けるために床下に渡す横木）の上に並べて張られる。そして、熱伝導部材１１３の上面に予め開けられた図示しない釘打用孔から釘が挿入され打ち付けられることにより、床暖房用パネル１００は根太に固定される。次に、床暖房用パネル１００の角部が切り欠かれ切欠部１１１Ｂに引き出された温水配管１１２の端部１１２Ａに温水器（図示せず）が配管接続され、温水配管１１２内に温水器の温水が循環される。そして、温水配管１１２内を循環する温水の熱が熱伝導部材１１３の略全面に伝達されることにより、住宅の床面全体は所定の温度に暖房される。尚、床暖房用パネル１００の上にはフローリングと呼ばれる床仕上げ材が固定される。また、切欠部１１１Ｂは鉄板１２０にて覆われ、ビニール粘着テープ１２１にて鉄板１２０とベース部材１１１とが固定されている。これによって切欠部１１１Ｂを塞いでいる。
【０００５】
該ベース部材１１１上面に固定された鉄板の熱伝導部材１１３は薄くても重いため取り扱い作業性が非常に悪く、また、大きさは略畳一枚分と大きくて取り扱い時に反りが発生してしまう。このため、熱伝導部材１１３を６分割（この場合、縦方向に２分割、幅方向に３分割）し、これにより熱伝導部材１１３の一枚当たりの重量を軽くして取り扱い及び作業を容易に行えるように構成すると共に反りの発生を防止していた。
【０００６】
【発明が解決しようとする課題】
しかしながら、ベース部材上面に熱伝導部材を接着しているが、熱伝導部材を接着している接着剤は短時間で硬化せず、短時間の内に床暖房用パネルが動かされるとベース部材から熱伝導部材がずれてしまう。この場合、床暖房用パネルを動かして移動を行えるようになるまでの接着剤の放置時間は半日〜１日位必要であるため、床暖房用パネルの生産効率が非常に悪いという問題があった。
【０００７】
また、熱伝導部材を６分割して熱伝導部材の取り扱い及び作業性を容易にしていたが、床暖房用パネルは熱伝導部材を６枚使用しているため、やはり床暖房用パネルは重くて運搬や取り扱い作業に支障を来していた。このため、床暖房用パネルが軽くもっと運搬や作業性を向上することができる床暖房用パネルの開発が望まれていた。
【０００８】
また、熱伝導部材には下側に設けた温水配管に対応する上面に、温水配管より幅の広い目印をシルク印刷で表示すると共に、熱伝導部材に釘打用孔を設けていたため、床暖房用パネルのコストが高騰してしまう問題があった。
【０００９】
本発明は、係る従来技術の課題を解決するために成されたものであり、軽くて運搬及び取り扱いが容易、且つ、大幅にコストを低減させた床暖房用パネルを提供することを目的とする。
【００１０】
【課題を解決するための手段】
即ち、本発明の床暖房用パネルは、温水配管に温水を循環させて暖房するものであって、温水配管が内部に蛇行状に配設されたベース部材と、温水配管及びベース部材の上面に密着固定された熱良導性の熱伝導部材とを備え、該熱伝導部材を粘着剤付きの金属箔にて構成したことを特徴とする。
【００１１】
また、請求項２の発明の床暖房用パネルは、上記に加えて、熱伝導部材には、温水配管から離間した位置に目印を設けたことを特徴とする。
【００１２】
【発明の実施の形態】
次に、本発明の実施の形態を図面に基づいて詳述する。図１は本発明の床暖房用パネル１０の平面図、図２は本発明の床暖房用パネル１０の一部拡大縦断面図をそれぞれ示している。床暖房用パネル１０は内部に温水配管１２が蛇行状に配設されたベース部材１１と、ベース部材１１の上面に設けられた熱伝導部材１３とから構成されている。
【００１３】
ベース部材１１は略矩形状の木製板（この場合、杉板、ラワン板、桧板或いはベニヤ板のような合板等）にて構成されている。ベース部材１１は長さ約９００ｍｍ、幅約６００ｍｍ、厚さ約１２±０．５ｍｍの大きさにて構成されている。該ベース部材１１は複数の木製板を並設して固定しても良く、また、ベニヤ板のような一枚の合板にて構成しても良い。尚、１１Ｂは温水配管１２を接続するための切欠部である。
【００１４】
ベース部材１１の一面側（上面側）には後述する温水配管１２を埋設可能な配管保持溝部１１Ａが蛇行状に彫り込まれて配設されている。この配管保持溝部１１Ａは、上面を幅約１３±１ｍｍ開口すると共に下方向に約９．６５ｍｍ彫り込まれた凹陥形状を呈している。即ち、配管保持溝部１１Ａは、開口を約１３ｍｍ幅で下方に約９．６５ｍｍ彫り込まれた断面略四角形に形成されている。
【００１５】
また、熱伝導部材１３は厚さ約０．０５ｍｍの金属箔（この場合厚さ約０．０５ｍｍ〜約０．３ｍｍのアルミニウム薄板でも差し支えない）をベースに片面に両面接着テープなどの粘着剤が設けられている。該熱伝導部材１３はベース部材１１の幅でロール状に巻き付けられている。そして、熱伝導部材１３はロールから引き出されてベース部材１１周囲に合わせられて接着固定される。この熱伝導部材１３は金属箔にて構成されているので予め釘を打ち付ける釘打用孔を設けなくても直接釘を打ち付けることができる。
【００１６】
即ち、熱伝導部材１３をロールから引き出してベース部材１１周囲に合わせて貼り付けるだけでベース部材１１上面に接着することができるので熱伝導部材１３の貼り付け作業性を大幅に向上させることができる。尚、熱伝導部材１３（アルミニウム薄板）は金属の中でも柔らかく釘打用孔を開けなくても容易に釘を打ち付けることができるのは従来より知られており、熱伝導部材１３に直接釘を打つ付けられる技術については詳細な説明を省略する。また、熱伝導部材１３は一面側に粘着剤が設けられたシート状のものでも差し支えない。
【００１７】
次に、蛇行して設けた配管保持溝部１１Ａ内に沿って温水配管１２が配設される。この温水配管１２の両端部１２Ａ、１２Ａはベース部材１１に設けた切欠部１１Ｂ、１１Ｂ内に延在しており、この切欠部１１Ｂ、１１Ｂはそれぞれ鉄板２０、２０にて塞がれると共に、各鉄板２０、２０はビニールテープ２１・・・にてベース部材１１に固定されている。該温水配管１２は、蛇行した配管保持溝部１１Ａ内に容易に配設でき、熱に強く容易に破損しない外径約９．５２ｍｍの銅パイプ、アルミニウムパイプ、或いは、ビニールチューブなどが使用される。尚、各鉄板２０、２０は床暖房用パネル１０が床暖房を行う住宅の根太上に並べられて設置された後取り付けるようにしても良い。
【００１８】
そして、配管保持溝部１１Ａ内に温水配管１２が配設されたベース部材１１の上面全体に熱伝導部材１３が貼り付けられる。この場合、熱伝導部材１３はロール状に巻き付けられているので、引き出してベース部材１１の長手方向の一方の縁部に合わせてベース部材１１の上面に押圧して貼り付け、他方の縁部に合わせて切断する。これにより、ベース部材１１の上面全体に熱伝導部材１３が貼り付けられる。
【００１９】
係る、熱伝導部材１３をベース部材１１上面より押圧すると、熱伝導部材１３は配管保持溝部１１Ａ内に僅か撓んで温水配管１２に接着される。この場合、熱伝導部材１３は押圧されることにより温水配管１２の周囲（パイプの周囲）に沿って撓むこととなるので、熱伝導部材１３と温水配管１２との接触面積が大きくなる。これにより、温水配管１２から熱伝導部材１３への熱伝導効率を向上させることができる。また、配管保持溝部１１Ａ上面開口を温水配管１２より広くすることにより、熱伝導部材１３と温水配管１２との接触面積を大きくすることができ、温水配管１２から熱伝導部材１３への熱伝導効率を更に向上させることができる。
【００２０】
そして次に、熱伝導部材１３の上面に目印１４を設ける。この目印１４は床暖房用パネル１０の固定箇所（釘を打つ箇所）を示すもので、温水配管１２を避けてマジックインキ（商品名）で熱伝導部材１３に帯状（この場合、枠だけでも差し支えない）に設けられている。即ち、目印１４は熱伝導部材１３の温水配管１２から離間側の位置（熱伝導部材１３の上面）に設けられている。尚、目印１４はマジックインキに限らず、色付きインキ、ペイント等を塗布しても差し支えない。
【００２１】
該目印１４は、幅約３５ｍｍでベース部材１１の長手方向両端に一本ずつ、及び、切欠部１１Ｂ側の縁部に一本設けられると共に、長手方向両端に設けた目印１４間に２本設けられている。また図示しないが、熱伝導部材１３の上面にメーカー名、品番などが印刷されたラベルが貼り付けられる。
【００２２】
このように構成された床暖房用パネル１０は輸送されて床暖房を行う住宅の根太上に並べて設置され、目印１４内に釘が打ち付けられ固定される。この場合、熱伝導部材１３の上面に設けた目印１４内に釘が打ち付けられることにより、釘は床暖房用パネル１０内に設けた温水配管１２を避けて確実に根太に固定される。そして、床暖房用パネル１０の切欠部１１Ｂに出した温水配管１２の端部１２Ａと温水器とが配管接続される。これにより、各床暖房用パネル１０と温水器とに温水循環回路ができる。ここで、前述した如く切鉄板２０で欠部１１Ｂを塞いでも差し支えない。
【００２３】
各床暖房用パネル１０と温水器とが配管接続された後、図示しないが床暖房用パネル１０の上にはフローリングと呼ばれる床仕上げ材が固定される。これにより、ビニールテープ２１で鉄板２０が本体１１に固定された切欠部１１Ｂは確実に塞がれると共に、温水配管１２及び温水配管１２の端部１２Ａには上面からの重量が加わらずに変形が防止されることとなる。そして、温水配管１２内に温水器の温水が循環されることにより、温水配管１２内を循環する温水の熱は熱伝導部材１３に伝達される。熱伝導部材１３に伝達した熱は床暖房用パネル１０上面に設けた熱伝導部材１３全体に伝達される。これによって、住宅の床面全体は所定の温度に暖房される。
【００２４】
このように、温水配管１２が内部に蛇行状に彫り込み配設されたベース部材１１と、温水配管１２及びベース部材１１の上面に密着固定された熱良導性の熱伝導部材１３とを設けており、この熱伝導部材１３を粘着剤付きの金属箔にて構成しているので、床暖房用パネル１０の大幅な軽量化を図ることが可能となる。これにより、床暖房用パネル１０の持ち運び及び運搬を容易に行うことができ、床暖房用パネル１０の取り扱い、及び、作業性を極めて向上させることができるようになる。
【００２５】
また、熱伝導部材１３を粘着剤付きの金属箔にて構成しているので、従来のように重い鉄板の熱伝導部材のように分割しなくても熱伝導部材１３上面に熱伝導部材１３を貼り付け固定することが可能となる。これにより、熱伝導部材１３の取り扱い、及び、作業性を極めて向上させることができる。
【００２６】
特に、熱伝導部材１３をロール状にして中心に回転軸を設けておけば、熱伝導部材１３を引き出すだけで温水配管１２及びベース部材１１の上面に熱伝導部材１３を貼り付けることが可能となる。これにより、熱伝導部材１３の貼り付け作業性を大幅に向上させることができるようになる。
【００２７】
また、熱伝導部材１３には、温水配管１２から離間した位置にシルク印刷で目印１４を設けているので、目印１４を目安に釘を打ち付け固定するだけで、ベース部材１１と熱伝導部材１３間に設けた温水配管１２に釘が刺さるなどの事故を防止することができる。これにより、従来の床暖房用パネルのように熱伝導部材の上面に温水配管と対応する位置全体に温水配管より幅の広い目印をシルク印刷で表示するなどの手間を省くことが可能となる。また、熱伝導部材１３に釘を挿入するための釘打用孔を熱伝導部材１３に設ける必要もなくなるので、床暖房用パネル１０の生産性を大幅に向上させることが可能となり、床暖房用パネル１０の製造コストを大幅に低減させることができるようになる。
【００２８】
一方、近年では住宅の間取り・面積も多種多様となってきており、床暖房用パネル１０もそれら住宅の間取り・面積に対応させなくてはならない。そこで、熱伝導部材１３にシルク印刷を設けていないので少ロット生産を短時間で行うことが可能である。これにより、注文に応じた間取り・面積の少ロット生産に極めて短時間で対応することが可能となる。従って、多種多様の住宅の間取り・面積の住宅用に合わせて対応生産を好適に行うことが可能となり、床暖房用パネル１０の利便性を大幅に向上させることができるようになる。
【００２９】
尚、実施例では、床暖房用パネル１０及び床暖房用パネル１０を構成する部品の寸法を記載したが、床暖房用パネル１０及び床暖房用パネル１０を構成する部品の寸法は記載した寸法に限られるものでない。
【００３０】
【発明の効果】
以上詳述した如く本発明によれば、温水配管に温水を循環させて暖房する床暖房用パネルにおいて、温水配管が内部に蛇行状に配設されたベース部材と、温水配管及びベース部材の上面に密着固定された熱良導性の熱伝導部材とを備え、該熱伝導部材を粘着剤付きの金属箔にて構成したので、床暖房用パネルの大幅な軽量化を図ることができるようになると共に、ベース部材に熱伝導部材が貼られた後の放置時間が不要となる。
【００３１】
これにより、ベース部材に熱伝導部材が貼られてから直ぐ床暖房用パネルの持ち運び及び運搬を行うことができるようになるので、例えば従来のようにベース部材に熱伝導部材が貼られた後の放置時間が不要となると共に、重い鉄板の熱伝導部材を設けた床暖房用パネルの持ち運びを行う必要もなくなる。従って、床暖房用パネルの取り扱い、及び、作業性を極めて向上させることができるようになると共に、床暖房用パネルの生産性を極めて向上させることが可能となり、総じて床暖房用パネルの製造コストを大幅に低減させることができるようになるものである。
【００３２】
また、熱伝導部材を粘着剤付きの金属箔にて構成しているので、例えば従来のように重い鉄板の熱伝導部材のように分割しなくても熱伝導部材上面に熱伝導部材を貼り付け固定することが可能となる。これにより、熱伝導部材の取り扱い、及び、作業性を極めて向上させることができるようになる。従って、床暖房用パネルの生産性を大幅に向上させることができるようになるものである。
【００３３】
特に、熱伝導部材を例えばロール状にして中心に回転軸を設けておけば、熱伝導部材を引き出すだけで温水配管及びベース部材の上面に容易に貼り付けることが可能となる。これにより、熱伝導部材の取り扱いを極めて容易に行えるようになり、熱伝導部材の貼り付け作業性を大幅に向上させることができるようになるものである。
【００３４】
また、請求項２の発明によれば、上記に加えて、熱伝導部材には、温水配管から離間した位置に目印を設けたので、例えば目印を目安に釘を打ち付け固定すれば、熱伝導部材下に設けた温水配管に釘が刺さって損傷してしまうなどの事故を未然に防止することができるようになる。これにより、従来の床暖房用パネルのように熱伝導部材の上面に温水配管と対応する位置全体に温水配管より幅の広い目印をシルク印刷で表示するなどの手間を省くことが可能となると共に、釘を挿入するための釘打用孔を熱伝導部材に設ける必要もなくなり、床暖房用パネルの生産性を更に向上させることが可能となる。従って、印刷及び釘打用孔などを設けるコストを低減でき、総じて床暖房用パネルの製造コストを大幅に低減させることができるようになるものである。
【００３５】
特に、熱伝導部材上面にはシルク印刷を設けていないので短時間で少ロット生産を行うことが可能となる。これにより、床暖房用パネルの少ロット生産を好適に行うことができ、床暖房用パネルの利便性を大幅に向上させることができるようになるものである。
【図面の簡単な説明】
【図１】本発明の床暖房用パネルの平面図である。
【図２】本発明の床暖房用パネルの一部拡大縦断面図である。
【図３】従来の床暖房用パネルの平面図である。
【図４】従来の床暖房用パネルの一部拡大縦断面図である。
【符号の説明】
１０　床暖房用パネル
１１　ベース部材
１１Ａ　配管保持溝部
１２　温水配管
１３　熱伝導部材
１４　目印
【図１】
2004053203.tif 000003
【図２】
2004053203.tif 000004
【図３】
2004053203.tif 000005
【図４】
2004053203.tif 000006